(57)【要約】【課題】送信元の無線通信機器のユーザが煩雑な作業を行うことなく送信先の無線通信機器に所定の文字数以下の文字情報を送信することができる通信システム及び無線通信機器を提供すること。【解決手段】第１携帯電話機１０は、監視部１７により監視された受信電界強度を第２携帯電話機２０に送信する第１通信部１４を備え、第２携帯電話機２０は、第１携帯電話機１０のアドレスに係る情報、第１携帯電話機１０の受信電界強度に係る情報、第２操作部２２により受け付けられたショートメッセージ、及び送信ボタンを表示する第２表示部２１と、第１携帯電話機１０の受信電界強度を無線受信し、送信要求が受け付けられたことに応じて第２表示部２１に表示されたショートメッセージを第１携帯電話機１０に向けて送信する第２通信部２４とを備える。【選択図】図２
2011211308.tif 000002
【特許請求の範囲】
【請求項１】
メールサーバを介さずに文字情報を送受信する第１無線通信機器及び第２無線通信機器を有する通信システムにおいて、
前記第１無線通信機器は、
情報を無線受信する第１受信部と、
前記第１受信部の受信感度を監視する監視部と、
前記監視部によって監視された前記第１受信部の受信感度の情報を、前記第２無線通信機器に送信する第１送信部と、を備え、
前記第２無線通信機器は、
前記第１無線通信機器から前記受信感度の情報を無線受信する第２受信部と、
前記第１無線通信機器に向けて情報を送信可能な第２送信部と、
文字情報及び送信要求の入力を受け付ける入力部と、
前記入力部にて前記文字情報の入力が受け付けられる場合に送信ボタンを表示する表示部と、
前記送信ボタンが前記表示部に表示されている場合において、前記入力部において送信要求の入力が受け付けられたとき、前記第２送信部に前記文字情報を送信させる制御部と、を備え、
前記制御部は、前記送信ボタンと前記受信感度の情報とを同時に前記表示部に表示させる通信システム。
【請求項２】
前記監視部は、定期的に前記受信感度を監視し、
前記第１送信部は、前記監視部により監視された受信感度が、前記監視部により直前に監視された受信感度に比べて変化したことに応じて、当該受信感度を前記第２無線通信機器に送信する請求項１に記載の通信システム。
【請求項３】
前記監視部は、定期的に前記受信感度を監視し、
前記第１送信部は、前記監視部により前記受信感度を監視したことに応じて、前記受信感度を前記第２無線通信機器に送信し、
前記制御部は、第２受信部が前記受信感度を所定時間にわたり受信しなかった場合に、当該受信感度を受信できないことを示す情報を前記表示部に表示させる請求項１に記載の通信システム。
【請求項４】
前記第２受信部は、前記表示部に表示される情報の表示態様にかかわらず、前記受信感度を受信する請求項１から３のいずれかに記載の通信システム。
【請求項５】
外部装置から受信感度の情報を無線受信する第２受信部と、
前記外部装置に向けて情報を送信可能な第２送信部と、
文字情報及び送信要求の入力を受け付ける入力部と、
前記入力部にて前記文字情報の入力が受け付けられる場合に送信ボタンを表示する表示部と、
前記送信ボタンが前記表示部に表示されている場合において、前記入力部において送信要求の入力が受け付けられたとき、前記第２送信部に前記文字情報を送信させる制御部と、を備え、
前記制御部は、前記送信ボタンと前記受信感度の情報とを同時に前記表示部に表示させる無線通信機器。
【発明の詳細な説明】
【技術分野】
【０００１】
本発明は、メールサーバを介さずに文字情報を送受信する通信システム及び無線通信機器に関する。
【背景技術】
【０００２】
近年、携帯電子機器等の無線通信機器には、文字情報を送受信する機能として、ショートメッセージサービス（ＳＭＳ：Ｓｈｏｒｔ  Ｍｅｓｓａｇｅ  Ｓｅｒｖｉｃｅ）機能が設けられているものがある（特許文献１参照）。このＳＭＳ機能を利用することにより、無線通信機器は、他の無線通信機器と、所定の文字数以下の文字情報の送受信を行うことができる。
【先行技術文献】
【特許文献】
【０００３】
【特許文献１】特開２０００−１６５９５６号公報
【発明の概要】
【発明が解決しようとする課題】
【０００４】
ところで、このＳＭＳ機能は、メールサーバを設けずに、無線通信機器の基地局を介して、無線通信機器同士で直接的に文字情報を送受信する仕組みにより実装されるものが多い。このため、送信先の無線通信機器が通信しにくい状態や通信不能状態である場合には、送信元の無線通信機器のユーザがＳＭＳ機能を利用して文字情報を送信しようとしても、送信先の無線通信機器に文字情報を送信することができない。よって、送信元の無線通信機器のユーザは、送信先の無線通信機器に文字情報を送信できなかった場合、送信先の無線通信機器に、文字情報を再送する必要があり、文字情報を送信する作業が煩雑になることがあった。
【０００５】
本発明は、送信元の無線通信機器のユーザが煩雑な作業を行うことなく送信先の無線通信機器に所定の文字数以下の文字情報を送信することができる通信システムを提供することを目的とする。
【課題を解決するための手段】
【０００６】
本発明に係る通信システムは、メールサーバを介さずに文字情報を送受信する第１無線通信機器及び第２無線通信機器を有する通信システムにおいて、前記第１無線通信機器は、情報を無線受信する第１受信部と、前記第１受信部の受信感度を監視する監視部と、
前記監視部によって監視された前記第１受信部の受信感度の情報を、前記第２無線通信機器に送信する第１送信部と、を備え、前記第２無線通信機器は、前記第１無線通信機器から前記受信感度の情報を無線受信する第２受信部と、前記第１無線通信機器に向けて情報を送信可能な第２送信部と、文字情報及び送信要求の入力を受け付ける入力部と、前記入力部にて前記文字情報の入力が受け付けられる場合に送信ボタンを表示する表示部と、前記送信ボタンが前記表示部に表示されている場合において、前記入力部において送信要求の入力が受け付けられたとき、前記第２送信部に前記文字情報を送信させる制御部と、を備え、前記制御部は、前記送信ボタンと前記受信感度の情報とを同時に前記表示部に表示させる。
【０００７】
また、前記監視部は、定期的に前記受信感度を監視し、前記第１送信部は、前記監視部により監視された受信感度が、前記監視部により直前に監視された受信感度に比べて変化したことに応じて、当該受信感度を前記第２無線通信機器に送信することが好ましい。
【０００８】
また、前記監視部は、定期的に前記受信感度を監視し、前記第１送信部は、前記監視部により前記受信感度を監視したことに応じて、前記受信感度を前記第２無線通信機器に送信し、前記制御部は、第２受信部が前記受信感度を所定時間にわたり受信しなかった場合に、当該受信感度を受信できないことを示す情報を前記表示部に表示させることが好ましい。
【０００９】
また、前記第２受信部は、前記表示部に表示される情報の表示態様にかかわらず、前記受信感度を受信することが好ましい。
【００１０】
本発明に係る無線通信機器は、外部装置から受信感度の情報を無線受信する第２受信部と、前記外部装置に向けて情報を送信可能な第２送信部と、文字情報及び送信要求の入力を受け付ける入力部と、前記入力部にて前記文字情報の入力が受け付けられる場合に送信ボタンを表示する表示部と、前記送信ボタンが前記表示部に表示されている場合において、前記入力部において送信要求の入力が受け付けられたとき、前記第２送信部に前記文字情報を送信させる制御部と、を備え、前記制御部は、前記送信ボタンと前記受信感度の情報とを同時に前記表示部に表示させる。
【発明の効果】
【００１１】
本発明によれば、送信元の無線通信機器のユーザが煩雑な作業を行うことなく送信先の無線通信機器に所定の文字数以下の文字情報を送信することができる。
【図面の簡単な説明】
【００１２】
【図１】本実施形態に係る通信システムの構成を示す図である。
【図２】本実施形態に係る第１携帯電話機及び第２携帯電話機の機能構成を示すブロック図である。
【図３】本実施形態に係る第１通信先テーブルを示す図である。
【図４】本実施形態に係る状態表示画像テーブルを示す図である。
【図５】本実施形態に係る第２通信先テーブルを示す図である。
【図６】本実施形態に係る第１携帯電話機による受信電界強度を送信する処理を示すフローチャートである。
【図７】本実施形態に係る第２携帯電話機による受信電界強度を受信する処理を示すフローチャートである。
【図８】本実施形態に係る第２携帯電話機によるショートメッセージを送信する処理を示すフローチャートである。
【図９】本実施形態に係る第２表示部における、ショートメッセージの送信に係る画像の表示例を示す図である。
【発明を実施するための形態】
【００１３】
以下、図面を参照して本発明を実施するための形態を説明する。
図１は、本実施形態に係る通信システム１の構成を示す図である。
通信システム１は、第１無線通信機器としての第１携帯電話機１０と、第２無線通信機器としての第２携帯電話機２０と、複数の基地局５０と、を備える。第１携帯電話機１０及び第２携帯電話機２０は、それぞれ基地局５０を介してネットワークで接続されており、ＳＭＳ機能により、メールサーバを介さずに所定の文字数以下の文字情報、すなわち、ショートメッセージの送受信を行う。
【００１４】
図２は、本実施形態に係る第１携帯電話機１０及び第２携帯電話機２０の機能構成を示すブロック図である。
【００１５】
第１携帯電話機１０は、第１表示部１１と、第１操作部１２と、第１音声部１３と、第１受信部及び第１送信部としての第１通信部１４と、第１記憶部１５と、第１制御部１６と、監視部１７とを備える。
【００１６】
第１表示部１１は、第１制御部１６の制御に従って、所定の画像処理を行い、処理後の画像データをフレームメモリ（図示省略）に蓄え、所定のタイミングでディスプレイに出力する。
【００１７】
第１操作部１２は、各種設定機能、電話帳機能、メール機能等の各種機能を作動させるための機能設定操作ボタン、電話番号の数字やメールの文字等を入力するための入力操作ボタン、各種操作における決定やスクロール等を行う決定操作ボタン等から構成される。そして、第１操作部１２は、ユーザから各種指示入力を受け付け、受け付けられた入力情報を第１制御部１６に供給する。
【００１８】
第１音声部１３は、第１制御部１６の制御に従って、後述の第１通信部１４から供給された信号に対して所定の音声処理を行い、処理後の信号をスピーカ（図示せず）に出力する。また、第１音声部１３は、第１制御部１６の制御に従って、マイク（図示せず）から入力された信号を処理し、処理後の信号を第１通信部１４へ出力する。
【００１９】
第１通信部１４は、所定の使用周波数帯（例えば、２ＧＨｚ帯や８００ＭＨｚ帯等）で外部装置（基地局５０）と通信を行う。そして、第１通信部１４は、アンテナ（図示せず）より受信した信号を復調処理し、処理後の信号を第１制御部１６に供給する。また、第１通信部１４は、第１制御部１６から供給された信号を変調処理し、外部装置（基地局５０）に送信する。
【００２０】
第１記憶部１５は、例えば、ワーキングメモリを含み、第１制御部１６による演算処理に利用される。また、第１記憶部１５は、本実施形態に係る各種プログラムやテーブル等を記憶する。第１記憶部１５は、本実施形態に係るテーブルとして第１通信先テーブル１５１を記憶する。なお、第１記憶部１５は、着脱可能な外部メモリを兼ねていてもよい。
【００２１】
図３は、本実施形態に係る第１通信先テーブル１５１を示す図である。
第１通信先テーブル１５１は、後述の受信感度としての受信電界強度を通知する第２携帯電話機２０のアドレスを記憶する。第１通信先テーブル１５１は、第２携帯電話機２０のアドレスとしての通信先電話番号１５１Ａを含む。
【００２２】
図２に戻り、第１制御部１６は、第１携帯電話機１０の全体を制御しており、例えば、第１表示部１１、第１音声部１３、第１通信部１４等に対して所定の制御を行う。また、第１制御部１６は、第１操作部１２等から入力を受け付けて、各種処理を実行する。そして、第１制御部１６は、処理実行の際には、第１記憶部１５を制御し、各種プログラム及びデータの読み出し、並びにデータの書き込みを行う。この第１制御部１６は、第１通信制御部１６１を備える。この機能については後述する。
【００２３】
監視部１７は、受信感度として、アンテナにより受信される受信信号の強度、すなわち、受信電界強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）を監視する。監視された受信電界強度は、第１制御部１６に供給される。
【００２４】
第２携帯電話機２０は、表示部としての第２表示部２１と、入力部としての第２操作部２２と、第２音声部２３と、第２受信部及び第２送信部としての第２通信部２４と、第２記憶部２５と、第２制御部２６と、を備える。
【００２５】
第２表示部２１は、第２制御部２６の制御に従って、所定の画像処理を行い、処理後の画像データをフレームメモリ（図示省略）に蓄え、所定のタイミングでディスプレイに出力する。
【００２６】
第２操作部２２は、各種設定機能、電話帳機能、メール機能、ショートメッセージ機能等の各種機能を作動させるための機能設定操作ボタン、電話番号の数字や、メールやショートメッセージの文字等を入力するための入力操作ボタン、各種操作における決定やスクロール等を行う決定操作ボタン等から構成される。そして、第２操作部２２は、ユーザから各種指示入力を受け付け、受け付けられた入力情報を第２制御部２６へ供給する。
【００２７】
第２音声部２３は、第２制御部２６の制御に従って、第２通信部２４から供給された信号に対して所定の音声処理を行い、処理後の信号をスピーカ（図示せず）に出力する。また、第２音声部２３は、第２制御部２６の制御に従って、マイク（図示せず）から入力された信号を処理し、処理後の信号を第２通信部２４へ出力する。
【００２８】
第２通信部２４は、所定の使用周波数帯（例えば、２ＧＨｚ帯や８００ＭＨｚ帯等）で外部装置（基地局５０）と通信を行う。そして、第２通信部２４は、アンテナ（図示せず）より受信した信号を復調処理し、処理後の信号を第２制御部２６に供給する。また、第２通信部２４は、第２制御部２６から供給された信号を変調処理し、外部装置（基地局５０）に送信する。
【００２９】
第２記憶部２５は、例えば、ワーキングメモリを含み、第２制御部２６による演算処理に利用される。また、本実施形態に係る各種プログラム等やテーブル等を記憶する。第２記憶部２５は、本実施形態に係るテーブルとして状態表示画像テーブル２５１及び第２通信先テーブル２５２を記憶する。なお、第２記憶部２５は、着脱可能な外部メモリを兼ねていてもよい。
【００３０】
図４は、本実施形態に係る状態表示画像テーブル２５１を示す図である。
状態表示画像テーブル２５１は、受信電界強度の状態に係る情報を記憶する。状態表示画像テーブル２５１は、第１携帯電話機１０の受信電界強度を示す受信電界強度２５１Ａと、受信電界強度の状態を示す状態表示画像２５１Ｂとを含む。具体的には、受信電界強度を０〜１０で表す場合、状態表示画像テーブル２５１は、受信電界強度が「０」（受信電界強度：０）であることを示す状態表示画像、受信電界強度が「弱」（受信電界強度：１〜４）であることを示す状態表示画像、受信電界強度が「やや強」（受信電界強度：５〜７）であることを示す状態表示画像、及び受信電界強度が「強」（受信電界強度：８〜１０）であることを示す状態表示画像を記憶する。
【００３１】
ここで、受信電界強度の状態が「０」の場合は情報の送受信ができない状態であり、「弱」の場合は情報の送受信が不安定ながら可能な状態であり、「やや強」の場合は情報の送受信がやや不安定ながら可能な状態であり、「強」の場合は情報の送受信が可能な状態である。
なお、本実施形態では、受信電界強度を０〜１０で表すこととしたが、これに限らず、例えば、３段階や５段階で表したり、実測値で表したりしてもよい。
【００３２】
図５は、本実施形態に係る第２通信先テーブル２５２を示す図である。
第２通信先テーブル２５２は、第２携帯電話機２０の通信先、すなわち、第１携帯電話機１０に係る情報を記憶する。具体的には、第２通信先テーブル２５２は、第１携帯電話機１０のアドレスとしての通信先電話番号２５２Ａと、この通信先電話番号２５２Ａに対応する第１携帯電話機１０を使用しているユーザ名を示す通信先ユーザ名２５２Ｂと、この通信先電話番号２５２Ａに対応する第１携帯電話機１０の受信電界強度を示す受信電界強度２５２Ｃと、を記憶する。
【００３３】
図２に戻り、第２制御部２６は、第２携帯電話機２０の全体を制御しており、例えば、第２表示部２１、第２音声部２３、第２通信部２４等に対して所定の制御を行う。また、第２制御部２６は、第２操作部２２等から入力を受け付けて、各種処理を実行する。そして、第２制御部２６は、処理実行の際には、第２記憶部２５を制御し、各種プログラム及びデータの読み出し、並びにデータの書き込みを行う。
第２制御部２６は、第２通信制御部２６１と、表示制御部２６２と、送信要求受付部２６３と、を備える。これらの機能については後述する。
【００３４】
このように構成される第１携帯電話機１０及び第２携帯電話機２０は、所定の文字数以下の文字情報であるショートメッセージをメールサーバを介さずに送受信する機能として、ショートメッセージサービス（Ｓｈｏｒｔ  Ｍｅｓｓａｇｅ  Ｓｅｒｖｉｃｅ）機能を有する。ここで、ショートメッセージサービス機能について説明する。
【００３５】
第１携帯電話機１０において、監視部１７は、この第１携帯電話機１０の受信電界強度を監視し、第１制御部１６に入力する。
【００３６】
また、第１通信部１４は、ショートメッセージを無線受信する。
また、第１通信部１４は、監視部１７によって監視された第１通信部１４の受信電界強度を第２携帯電話機２０に送信する。具体的には、第１通信制御部１６１は、監視部１７により監視された受信電界強度に応じて、第１通信先テーブル１５１の通信先電話番号１５１Ａを参照し、この受信電界強度を通知する第２携帯電話機２０を特定する。そして、第１通信部１４は、第１通信制御部１６１により特定された第２携帯電話機２０に、この受信電界強度をショートメッセージとして送信する。なお、本実施形態では、ショートメッセージは、第１携帯電話機１０から第２携帯電話機２０に基地局５０を介して直接的に送信されたり、第１携帯電話機１０から第２携帯電話機２０に直接送信されたりするものであり、一時的にショートメッセージを記憶するメールサーバ等は設けられない。
【００３７】
第２携帯電話機２０において、第２通信部２４は、第１携帯電話機１０から受信電界強度の情報を第１携帯電話機１０から無線受信する。具体的には、第２通信部２４は、基地局５０を介して、第１携帯電話機１０の受信電界強度の情報を第１携帯電話機１０からショートメッセージとして無線受信する。
【００３８】
表示制御部２６２は、第１携帯電話機１０のアドレス情報、第２通信制御部２６１が受信した受信電界強度（受信感度）情報、第２操作部２２により受け付けられたショートメッセージ、及び送信ボタンを、第２表示部２１に表示させる。
【００３９】
具体的には、表示制御部２６２は、第２操作部２２によりショートメッセージの送信先を決定する所定の操作を受け付けたことに応じて、第２通信先テーブル２５２を参照して、ショートメッセージの送信先に対応するアドレスに対応する送信先ユーザ名及び受信電界強度を取得する。そして、表示制御部２６２は、第１携帯電話機１０のアドレス、第２通信制御部２６１が受信した受信電界強度（受信感度）に係る画像（図４参照）、及び送信ボタンを第２表示部２１に表示させる。
【００４０】
つまり、表示制御部２６２は、第２操作部２２によりショートメッセージの入力が受け付けられる場合に、受信電界強度に係る画像及び送信ボタンを第２表示部２１に表示させる。また、表示制御部２６２は、第２操作部２２によりショートメッセージの入力が受け付けられたことに応じて、受け付けられたショートメッセージを第２表示部２１に表示させる。
【００４１】
送信要求受付部２６３は、第２表示部２１に表示されたショートメッセージの第１携帯電話機１０への送信要求を受け付ける。具体的には、送信要求受付部２６３は、第２表示部２１に表示される送信ボタン（後述の図９参照）が第２操作部２２により押下されることにより、ショートメッセージの送信要求を受け付ける。
【００４２】
第２通信制御部２６１は、送信要求受付部２６３により送信要求が受け付けられたことに応じて、第２表示部２１に表示されたショートメッセージを、第２通信部２４に送信させる。
【００４３】
また、第２通信部２４は、ショートメッセージが第１携帯電話機１０において受信できなかった場合、第１携帯電話機１０において受信できなかった旨を示すエラーメッセージを受信する。
【００４４】
したがって、第２携帯電話機２０の第２表示部２１に第１携帯電話機１０における受信電界強度に係る画像が表示されるので、第２携帯電話機２０のユーザは、ショートメッセージの送信先である第１携帯電話機１０に対してショートメッセージを送信する前に、第１携帯電話機１０に対してショートメッセージを送信可能か否かを確認できる。よって、通信システム１では、ショートメッセージの送信元である第２携帯電話機２０のユーザが、第１携帯電話機１０の受信電界強度の状態の不良によるショートメッセージの再送といった煩雑な作業を行うことなく、送信先の第１携帯電話機１０にショートメッセージを送信することができる。
【００４５】
また、監視部１７は、定期的に受信電界強度を監視する。具体的には、監視部１７は、所定時間ごとに第１携帯電話機１０の受信電界強度を監視する。
また、第１通信部１４は、監視部１７により監視された受信電界強度が、監視部１７により直前に監視された受信感度に比べて変化したことに応じて、当該受信感度を第２携帯電話機２０に送信する。
【００４６】
具体的には、第１通信制御部１６１は、監視部１７により受信電界強度が監視されたことに応じて、この受信電界強度を、第１記憶部１５に一時記憶させる。所定時間経過後に、監視部１７により新たに受信電界強度が監視されたことに応じて、第１通信制御部１６１は、監視部１７により新たに監視された受信電界強度を、一時記憶された受信電界強度（直前に監視された受信電界強度）と比較する。続いて、第１通信制御部１６１は、新たに監視された受信電界強度が所定値以上変化している場合に、新たに監視された受信電界強度をショートメッセージとして、第１通信部１４に、第２携帯電話機２０に向けて送信させる。
【００４７】
なお、本実施形態では、第１通信部１４は、新たに監視された受信電界強度が、一時記憶された受信電界強度と比較して所定値以上変化している場合に、新たに監視された受信電界強度を第２携帯電話機２０に送信することとしたが、これに限らない。例えば、受信電界強度の状態を複数段階に分ける複数の閾値を第１記憶部に記憶しておく。そして、第１通信制御部１６１は、新たに監視された受信電界強度が、一時記憶された受信電界強度に対して閾値をまたいで変化したと判定した場合に、第１通信部１４に、新たに監視された受信電界強度を第２携帯電話機２０に向けて送信させてもよい。
【００４８】
したがって、第１携帯電話機１０は、監視された受信電界強度が変化したことに応じて、新たに監視された受信電界強度を第２携帯電話機２０に送信するので、定期的に受信電界強度を送信する場合に比べて、通信負荷を軽減することができる。
【００４９】
なお、第１通信部１４は、監視部１７により監視された受信電界強度が、監視部１７により直前に監視された受信電界強度に比べて変化したことに応じて、監視部１７により監視された受信電界強度を第２携帯電話機２０に送信することとしたが、これに限らない。例えば、第１通信部１４は、監視部１７により受信電界強度が監視されたことに応じて、この受信電界強度を第２携帯電話機２０に送信してもよい。また、表示制御部２６２は、第２通信制御部２６１が受信電界強度を所定時間にわたり受信しなかった場合に、当該受信電界強度を受信できないことを示す画像（図４の受信電界強度０に対応する画像）を第２表示部２１に表示させてもよい。
【００５０】
つまり、第２携帯電話機２０が第１携帯電話機１０から定期的に受信電界強度を受信するにもかかわらず、定期的に受信電界強度が受信できない場合には、第１携帯電話機１０の受信電界強度が０電界の状況であると考えられる。よって、定期的に受信電界強度が受信できない場合に、受信電界強度を受信できないことを示す画像を第２表示部２１に表示させることにより、第２携帯電話機２０のユーザは、ショートメッセージの送信先である第１携帯電話機１０に対してショートメッセージを送信する前に、第１携帯電話機１０に対してショートメッセージを送信不可能であることを確認できる。よって、通信システム１では、第２携帯電話機２０がショートメッセージを送信不可能である場合に、この第２携帯電話機２０のユーザが、ショートメッセージが送信不可能であることを確認できる。
【００５１】
また、第２通信部２４は、第２表示部２１に表示される情報の表示態様にかかわらず、受信電界強度を受信する。具体的には、第２通信部２４は、第２表示部２１に表示される情報がショートメッセージの作成に係る情報ではない場合でも、受信電界強度を受信する。
【００５２】
このように、第２携帯電話機２０は、バックグラウンドで第１携帯電話機１０の受信電界強度を受信する。よって、第２携帯電話機２０は、この第２携帯電話機２０のユーザにより、ショートメッセージの作成画面が起動されたことに応じて、ショートメッセージの送信先である第１携帯電話機１０の直近の受信電界強度を表示させることができる。
【００５３】
続いて、図６〜図８を参照して、通信システム１に係る処理について説明する。
図６は、本実施形態に係る第１携帯電話機１０による受信電界強度を送信する処理を示すフローチャートである。
【００５４】
ステップＳ１において、第１制御部１６は、監視部１７により監視された第１携帯電話機１０の受信電界強度を受け付ける。
ステップＳ２において、第１通信制御部１６１は、ステップＳ１にて受信電界強度が監視されたことに応じて、監視部１７により新たに監視された受信電界強度を、一時記憶された受信電界強度と比較する。
【００５５】
ステップＳ３において、第１通信制御部１６１は、受信電界強度が変化したか否かを判定する。第１通信制御部１６１は、この判定がＹＥＳの場合、処理をステップＳ４に移し、この判定がＮＯの場合、一連の処理を繰り返す。
ステップＳ４において、第１通信制御部１６１は、受信電界強度をショートメッセージとして、第１通信部１４に、第２携帯電話機２０に向けて送信させる。この処理が終了すると、第１制御部１６は、一連の処理を繰り返す。具体的には、第１制御部１６は、一連の処理として、ステップＳ１からステップＳ４までの処理を繰り返し実行する。
【００５６】
図７は、本実施形態に係る第２携帯電話機２０による受信電界強度を受信する処理を示すフローチャートである。
【００５７】
ステップＳ１１において、第２通信部２４は、第１携帯電話機１０から受信電界強度を受信する。具体的には、第２通信部２４は、第２通信先テーブル２５２（図５）に記憶されている第１携帯電話機１０から受信電界強度を受信する。
ステップＳ１２において、第２制御部２６は、ステップＳ１１にて受信電界強度を受信したことに応じて、第２通信先テーブル２５２の受信電界強度を更新する。
【００５８】
図８は、本実施形態に係る第２携帯電話機２０によるショートメッセージを送信する処理を示すフローチャートである。
【００５９】
ステップＳ２１において、第２制御部２６は、第２操作部２２がショートメッセージの作成に係る操作を受け付けたことに応じて、ショートメッセージ作成画面を起動する。
ステップＳ２２において、表示制御部２６２は、送信先情報及び送信ボタンを第２表示部２１に表示させる。具体的には、表示制御部２６２は、第２通信先テーブル２５２を参照し、送信先情報として、送信先のアドレスと当該送信先のアドレスに対応する受信電界強度とを第２表示部２１に表示させるとともに、送信ボタンを第２表示部２１に表示させる。
【００６０】
ステップＳ２３において、表示制御部２６２は、第２操作部２２がショートメッセージの入力を受け付けたか否かを判定する。表示制御部２６２は、この判定がＹＥＳの場合、処理をステップＳ２４に移し、この判定がＮＯの場合、処理をステップＳ２５に移す。
ステップＳ２４において、表示制御部２６２は、ステップＳ２３にて受け付けたショートメッセージを第２表示部２１に表示させる。
【００６１】
ステップＳ２５において、表示制御部２６２は、第２通信先テーブル２５２を参照し、送信先のアドレスに対応する受信電界強度が変化したか否かを判定する。表示制御部２６２は、この判定がＹＥＳの場合、処理をステップＳ２６に移し、この判定がＮＯの場合、処理をステップＳ２７に移す。
ステップＳ２６において、表示制御部２６２は、受信電界強度の画像を変更し、第２表示部２１に表示させる。具体的には、表示制御部２６２は、状態表示画像テーブル２５１を参照し、変化した受信電界強度に対応する状態表示画像を取得し、この画像を第２表示部２１に表示させる。
【００６２】
ステップＳ２７において、送信要求受付部２６３は、第２操作部２２の操作によりショートメッセージの送信要求を受け付けたか否かを判定する。送信要求受付部２６３は、この判定がＹＥＳの場合、処理をステップＳ２８に移し、この判定がＮＯの場合、処理をステップＳ２３に移す。
ステップＳ２８において、第２通信制御部２６１は、第２通信部２４に、ショートメッセージを送信させる。具体的には、第２通信制御部２６１は、第２通信部２４に、第２表示部２１に表示されているショートメッセージを第２表示部２１に表示されている送信先に対応する第１携帯電話機１０に向けて送信させる。
【００６３】
続いて、図９を参照して、ショートメッセージの送信画面の表示例について説明する。
図９は、本実施形態に係る第２表示部２１における、ショートメッセージの送信に係る画像の表示例を示す図である。
【００６４】
図９（ａ）において、第２表示部２１には、第１携帯電話機１０のアドレス情報２１１と、第２通信制御部２６１が受信した受信電界強度の状態を示す状態表示画像２１２ａと、第１携帯電話機１０に送信するショートメッセージ表示領域２１３と、第１携帯電話機１０への送信要求を受け付けるための送信ボタン２１４とが表示されている。図９（ａ）に示される状態表示画像２１２ａは、図４に示されるように受信電界強度が「強」の状態である。よって、第２携帯電話機２０のユーザは、第２携帯電話機２０から、第１携帯電話機１０に対してショートメッセージの送信が可能であることを確認できる。
【００６５】
図９（ｂ）において、第２表示部２１には、第１携帯電話機１０のアドレス情報２１１と、第２通信制御部２６１が受信した受信電界強度の状態を示す状態表示画像２１２ｂと、第１携帯電話機１０に送信するショートメッセージ表示領域２１３と、第１携帯電話機１０への送信要求を受け付けるための送信ボタン２１４とが表示されている。図９（ｂ）に示される状態表示画像２１２ｂは、図４に示されるように受信電界強度が「やや強」の状態である。よって、第２携帯電話機２０のユーザは、第２携帯電話機２０から、第１携帯電話機１０に対してショートメッセージの送信がやや不安定ながらも可能であることを確認できる。
【００６６】
図９（ｃ）において、第２表示部２１には、第１携帯電話機１０のアドレス情報２１１と、第２通信制御部２６１が受信した受信電界強度の状態を示す状態表示画像２１２ｃと、第１携帯電話機１０に送信するショートメッセージ表示領域２１３と、第１携帯電話機１０への送信要求を受け付けるための送信ボタン２１４とが表示されている。図９（ｃ）に示される状態表示画像２１２ｃは、図４に示されるように受信電界強度が「弱」の状態である。よって、第２携帯電話機２０のユーザは、第２携帯電話機２０から、第１携帯電話機１０に対してショートメッセージの送信が不安定ながらも可能であることを確認できる。
【００６７】
図９（ｄ）において、第２表示部２１には、第１携帯電話機１０のアドレス情報２１１と、第２通信制御部２６１が受信した受信電界強度の状態を示す状態表示画像２１２ｄと、第１携帯電話機１０に送信するショートメッセージ表示領域２１３と、第１携帯電話機１０への送信要求を受け付けるための送信ボタン２１４とが表示されている。図９（ｄ）に示される状態表示画像２１２ｄは、図４に示されるように受信電界強度が「０」の状態である。よって、第２携帯電話機２０のユーザは、第２携帯電話機２０から、第１携帯電話機１０に対してショートメッセージの送信が不可能であることを確認できる。
【００６８】
このように、第１携帯電話機１０の受信電界強度について、複数の異なる状態表示画像で示されるので、第２携帯電話機２０のユーザは、第１携帯電話機１０に送信可能か否かを送信前に確認することができる。
【００６９】
以上、好適な実施形態について説明したが、本発明は前述した実施形態に限定されることなく種々の形態で実施することができる。また、前述の実施形態に記載された効果は、本発明から生じる最も好適な効果を列挙したに過ぎず、本発明による効果は、前述のものに限定されない。
【００７０】
本実施形態では、第１通信先テーブル１５１は、受信電界強度を通知する第２携帯電話機２０のアドレスとして、通信先電話番号１５１Ａを記憶することとしたが、これに限らない。例えば、第１通信先テーブル１５１は、第２携帯電話機２０のアドレスとして、電子メールアドレスを記憶してもよい。
【００７１】
また、本実施形態では、第２通信先テーブル２５２は、第１携帯電話機１０のアドレスとして、通信先電話番号２５２Ａを記憶することとしたが、これに限らない。第２通信先テーブル２５２は、例えば、第１携帯電話機１０のアドレスとして、電子メールアドレスを記憶してもよい。
【００７２】
また、本実施形態では、第２通信制御部２６１は、第２通信部２４及び基地局５０を介してショートメッセージを無線受信することとしたが、これに限らない。第２通信制御部２６１は、例えば、第２通信部２４を介して、ＢｌｕｅＴｏｏｔｈ（登録商標）といった所定の近距離通信により第１携帯電話機１０から直接的に無線受信してもよい。
【００７３】
また、本実施形態では、第１携帯電話機１０が受信電界強度を通知する機能を備え、第２携帯電話機２０が、ショートメッセージを通知する機能を備えることとしたが、第１携帯電話機１０が第２携帯電話機２０の機能を備え、第２携帯電話機２０が第１携帯電話機１０の機能を備えることとしてもよい。このようにすることで、第１携帯電話機１０及び第２携帯電話機２０のユーザは、相手ユーザの受信電界強度を確認できるので、煩雑な操作を行うことなく、ショートメッセージの送受信を行うことができる。
【符号の説明】
【００７４】
１  通信システム
１０  第１携帯電話機（第１無線通信機器）
１４  第１通信部（第１受信部、第１送信部）
１６  第１制御部
１７  監視部
２０  第２携帯電話機（第２無線通信機器）
２１  第２表示部（表示部）
２２  第２操作部（入力部）
２４  第２通信部（第２受信部、第２送信部）
２６  第２制御部（制御部）
【図１】
2011211308.tif 000003
【図２】
2011211308.tif 000004
【図３】
2011211308.tif 000005
【図４】
2011211308.tif 000006
【図５】
2011211308.tif 000007
【図６】
2011211308.tif 000008
【図７】
2011211308.tif 000009
【図８】
2011211308.tif 000010
【図９】
2011211308.tif 000011